(57)【特許請求の範囲】
【請求項１】
蒸発器と、庫内空気をそれに接触させて循環させるファンとを冷蔵区域と冷凍区域とにそれぞれ専用に有すると共に、圧縮機から凝縮器を経た冷媒を冷蔵区域用絞り手段を通じて冷蔵区域用蒸発器に流す第１の流路と、同冷媒を冷凍区域用絞り手段を通じて冷凍区域用蒸発器に流す第２の流路とを並列に有し、冷蔵区域のみの冷却をするときに第１の流路に冷媒を流し、冷凍区域のみの冷却をするときに第２の流路に冷媒を流すようにしたものにおいて、
制御手段を具え、この制御手段により、電源投入時には、前記第１の流路と第２の流路の双方に冷媒を流すようにすると共に、前記冷蔵区域用ファンによる庫内空気の循環量を冷凍区域用ファンによる庫内空気の循環量より多くするようにし、このモードで庫内温度が所定温度に達するまで又は所定時間が経過するまで運転した後、前記冷蔵区域の冷却と冷凍区域の冷却とを交互に行う運転をするようにしたことを特徴とする冷蔵庫。
【請求項２】
蒸発器と、庫内空気をそれに接触させて循環させるファンとを冷蔵区域と冷凍区域とにそれぞれ専用に有すると共に、圧縮機から凝縮器を経た冷媒を冷蔵区域用絞り手段を通じて冷蔵区域用蒸発器に流す第１の流路と、同冷媒を冷凍区域用絞り手段を通じて冷凍区域用蒸発器に流す第２の流路とを並列に有し、冷蔵区域のみの冷却をするときに第１の流路に冷媒を流し、冷凍区域のみの冷却をするときに第２の流路に冷媒を流すようにしたものにおいて、
制御手段を具え、この制御手段により、電源投入時には、庫内温度が所定温度に達するまで又は所定時間が経過するまで前記第２の流路にのみ冷媒を流し、その後に前記第１の流路と第２の流路の双方に冷媒を流し、このモードで庫内温度が所定温度に達するまで又は所定時間が経過するまで運転した後、前記冷蔵区域の冷却と冷凍区域の冷却とを交互に行う運転をするようにしたことを特徴とする冷蔵庫。
【請求項３】
圧縮機が圧縮能力の変更が可能であるか、又は凝縮器の放熱をする可変速のファンを具え、制御手段が、第１の流路と第２の流路の双方に冷媒を流すモードで運転をするとき、冷蔵区域及び冷凍区域の各庫内温度と両区域の目標温度との差が大きい段階では、その差が小さい場合よりも、圧縮機の圧縮能力を低くし、又は凝縮器放熱用のファンを高速で運転することを特徴とする請求項１又は２記載の冷蔵庫。
【請求項４】
庫内空気循環用のファンが変速可能で、制御手段が、第１の流路と第２の流路の双方に冷媒を流すモードで運転をするとき、冷蔵区域及び冷凍区域の各庫内温度と両区域の目標温度との差が大きい段階では、その差が小さい場合よりも、庫内空気循環用のファンを低速で運転することを特徴とする請求項２記載の冷蔵庫。
【請求項５】
圧縮機が圧縮能力の変更が可能であるか、又は凝縮器の放熱をする可変速のファンを具え、制御手段が、第２の流路にのみ冷媒を流すモードで運転をするときより、第１の流路と第２の流路の双方に冷媒を流すモードで運転をするときに圧縮機の圧縮能力を低くし、又は凝縮器放熱用のファンを高速で運転することを特徴とする請求項２記載の冷蔵庫。
【請求項６】
庫内空気循環用のファンが変速可能で、制御手段が、第２の流路にのみ冷媒を流すモードで運転をするときより、第１の流路と第２の流路の双方に冷媒を流すモードで運転をするときに庫内空気循環用のファンを低速で運転することを特徴とする請求項２記載の冷蔵庫。
【請求項７】
冷蔵区域用絞り手段又は冷凍区域用絞り手段が絞り度の調整が可能で、制御手段が、第１の流路と第２の流路の双方に冷媒を流すモードで運転をするとき、前記冷蔵区域用絞り手段の絞り度を第１の流路にのみ冷媒を流すときより高くするか、又は前記冷凍区域用絞り手段の絞り度を第２の流路にのみ冷媒を流すときより低くすることを特徴とする請求項１又は２記載の冷蔵庫。
【請求項８】
冷蔵区域用絞り手段又は冷凍区域用絞り手段が複数本のキャピラリチューブから成り、それの選択で絞り度の調整がなされることを特徴とする請求項７記載の冷蔵庫。
【請求項９】
冷蔵区域用絞り手段又は冷凍区域用絞り手段が冷媒出口の開度を変化させ得る弁から成り、その冷媒出口の開度の変化で絞り度の調整がなされることを特徴とする請求項７記載の冷蔵庫。
【請求項１０】
制御手段が、第１の流路と第２の流路の双方に冷媒を流すモードでの運転を、庫内温度又は外気温度が所定温度以上であることを条件に実行することを特徴とする請求項１又は２記載の冷蔵庫。
【請求項１１】
制御手段が、第１の流路と第２の流路の双方に冷媒を流すモードで運転を実行している間、急速冷却又は除霜もしくは製氷の動作を実行しないことを特徴とする請求項１又は２記載の冷蔵庫。
【発明の詳細な説明】
【０００１】
【発明の属する技術分野】
本発明は冷媒を冷蔵区域用蒸発器に流す流路と冷凍区域用蒸発器に流す流路とを並列に有する冷蔵庫に関する。
【０００２】
【従来の技術】
従来より、冷蔵庫においては、図２１に示すように、冷蔵区域１と冷凍区域２とを有するものが供されている。両区域１，２は断熱仕切壁３により区分されており、更に、冷蔵区域１は仕切板４により区分され、図中上方が冷蔵室１ａ、下方が野菜室１ｂとされている。冷凍区域２は冷凍室２ａのみで構成されている。
【０００３】
しかして、冷蔵区域１には、野菜室１ｂの奥部に冷蔵部品室５が形成されており、この冷蔵部品室５に冷蔵区域用の蒸発器６とファン７及びヒータ８が配置されている。又、冷凍区域２には、冷凍室２ａの奥部に冷凍部品室９が形成されており、この冷凍部品室９に冷凍区域用の蒸発器１０とファン１１及びヒータ１２が配置されている。
【０００４】
ここで、ファン７は冷蔵区域１（冷蔵室１ａ及び野菜室１ｂ）の空気を図中矢印で示すように蒸発器６に接触させて循環させるもので、ファン１１は冷凍区域２（冷凍室２ａ）の空気を同じく図中矢印で示すように蒸発器１０に接触させて循環させるものであり、すなわち、ともに庫内空気循環用である。又、ヒータ８は蒸発器６に付着した霜を溶解させて除去するもので、ヒータ１２は蒸発器９に付着した霜を溶解させて除去するものであり、すなわち、ともに除霜用である。
【０００５】
庫外の後側最下部には機械室１３が形成されており、ここに圧縮機１４が配置されている。この圧縮機１４には、図２２に示すように、凝縮器１５が接続され、凝縮器１５には弁１６が接続されている。この弁１６は、凝縮器１５に接続された１つの入口に対して２つの出口を開閉する三方弁であり、その一方の出口に、冷蔵区域用キャピラリチューブ１７を介して上記冷蔵区域用蒸発器６が接続され、この接続路を第１の流路Ａとして、それがサクションパイプ１８により圧縮機１４に帰還接続されている。
【０００６】
弁１６の他方の出口には、冷凍区域用キャピラリチューブ１９を介して冷凍区域用蒸発器１０が接続され、この接続路を第２の流路Ｂとして、それが逆止弁２０を介して上記サクションパイプ１８に接続されている。
従って、第１の流路Ａと第２の流路Ｂは並列に接続されている。なお、第２の流路Ｂの冷凍区域用蒸発器１０と逆止弁２０との間には、図示しないアキュムレータが接続されるものもある。
【０００７】
このように接続された構成は冷凍サイクルであり、その内部には冷媒が封入されている。この冷媒は、圧縮機１４を起動させることにより、該圧縮機１４で圧縮され、次いで凝縮器１５で凝縮された後、弁１６により流路が選択される。
【０００８】
上記弁１６による流路の選択は、前記冷蔵区域１を冷却する場合と、冷凍区域２を冷却する場合とで切換えられるようになっており、図２３には、そのうちの冷蔵区域１を冷却する場合の冷媒の流れを矢印で示している。この場合、凝縮器１５で凝縮された冷媒は、第１の流路Ａを通る。すなわち、冷蔵区域用キャピラリチューブ１７を通り、その過程で該冷蔵区域用キャピラリチューブ１７により絞られ、その後、冷蔵区域用蒸発器６を通って蒸発した後、サクションパイプ１８を通って圧縮機１４に帰還する。
【０００９】
これに対して、図２４には冷凍区域２を冷却する場合の冷媒の流れを矢印で示しており、この場合、凝縮器１５で凝縮された冷媒は、第２の流路Ｂを通る。すなわち、冷凍区域用キャピラリチューブ１９を通り、その過程で該冷凍区域用キャピラリチューブ１９により絞られ、その後、冷凍区域用蒸発器１０を通って蒸発した後、逆止弁２０を通り、更にサクションパイプ１８を通って圧縮機１４に帰還する。
【００１０】
このように働くことにより、冷蔵区域用蒸発器６及び冷凍区域用蒸発器１０は、それらに接触する冷蔵区域１の庫内空気及び冷凍区域２の庫内空気からそれぞれ熱を吸収してその温度を下げ、もって、前記冷蔵区域１及び冷凍区域２の冷却をする。
【００１１】
この場合、冷却温度は、冷蔵区域１が氷点以上、冷凍区域２が氷点未満であって、冷蔵区域１より冷凍区域２の方を低くする必要があり、そのために、冷蔵区域用キャピラリチューブ１７の冷媒の対する絞り度を低く（ゆるく）し、冷凍区域用キャピラリチューブ１９の絞り度を高く（きつく）することによって、冷蔵区域用蒸発器６における冷媒の蒸発温度より、冷凍区域用蒸発器１０における冷媒の蒸発温度を低くしている。
【００１２】
更に、その冷凍区域用蒸発器１０における冷媒の蒸発温度が冷蔵区域用蒸発器６における蒸発温度より低いことで、冷媒を冷蔵区域用蒸発器６に流したとき、冷媒が冷凍区域用蒸発器１０に流れ込んで再凝縮することのないように、逆止弁２０が第２の流路Ｂに設置されている。
【００１３】
【発明が解決しようとする課題】
冷蔵庫の冷凍サイクルには、上述のものと異なり、１つの蒸発器で冷蔵区域及び冷凍区域の双方を冷却をするものがあり（図示省略）、又、冷蔵区域用蒸発器及び冷凍区域用蒸発器の２つを具えるも、それらが直列に接続されたものがある（これも図示省略）。これらのものでは、冷蔵区域用蒸発器及び冷凍区域用蒸発器の双方に同時に冷媒を流すことができるため、冷蔵区域及び冷凍区域を同時に冷却することができる。
【００１４】
しかしながら、それに対して、上述の、冷蔵区域用蒸発器６と冷凍区域用蒸発器１０（第１の流路Ａと第２の流路Ｂ）とが並列に接続されたものでは、それらの蒸発器６，１０に選択的に冷媒を流すことにより、冷蔵区域１及び冷凍区域２を交互に冷却するようになっている。このため、庫内が冷却されていない電源投入時に、冷蔵区域１及び冷凍区域２を速やかに冷却することができないという問題点を有していた。
【００１５】
本発明は上述の事情に鑑みてなされたものであり、従ってその目的は、冷媒を冷蔵区域用蒸発器に流す流路と冷凍区域用蒸発器に流す流路とを並列に有し、冷蔵区域及び冷凍区域を交互に冷却するようにしたものにおいて、その両区域の電源投入時における冷却が速やかにでき、しかも、それを他に問題を生じることなく実現できる冷蔵庫を提供するにある。
【００１６】
【課題を解決するための手段】
上記目的を達成するために、本発明の冷蔵庫は、蒸発器と、庫内空気をそれに接触させて循環させるファンとを冷蔵区域と冷凍区域とにそれぞれ専用に有すると共に、圧縮機から凝縮器を経た冷媒を冷蔵区域用絞り手段を通じて冷蔵区域用蒸発器に流す第１の流路と、同冷媒を冷凍区域用絞り手段を通じて冷凍区域用蒸発器に流す第２の流路とを並列に有し、冷蔵区域のみの冷却をするときに第１の流路に冷媒を流し、冷凍区域のみの冷却をするときに第２の流路に冷媒を流すようにしたものにおいて、第１に、制御手段を具え、この制御手段により、電源投入時には、前記第１の流路と第２の流路の双方に冷媒を流すようにすると共に、前記冷蔵区域用ファンによる庫内空気の循環量を冷凍区域用ファンによる庫内空気の循環量より多くするようにし、このモードで庫内温度が所定温度に達するまで又は所定時間が経過するまで運転した後、前記冷蔵区域の冷却と冷凍区域の冷却とを交互に行う運転をするようにしたことを特徴とする（請求項１の発明）。
【００１７】
冷媒を冷蔵区域用蒸発器に流す第１の流路と冷凍区域用蒸発器に流す第２の流路とを並列に有し、冷蔵区域及び冷凍区域を交互に冷却するようにしたものでも、上述のごとく、電源投入時に、それらの両方に冷媒を流すようにすれば、両区域を速やかに冷却することができる。
【００１８】
たゞし、前述のように、冷却温度は冷蔵区域より冷凍区域の方を低くする必要があり、そのために、冷蔵区域用蒸発器における冷媒の蒸発温度より、冷凍区域用蒸発器における冷媒の蒸発温度の方を低くする必要があって、冷蔵区域用蒸発器に流す冷媒の絞り度を低く（ゆるく）し、冷凍区域用蒸発器に流す冷媒の絞り度を高く（きつく）している。
【００１９】
このため、冷蔵区域用蒸発器と冷凍区域用蒸発器とに同時に冷媒を流せば、絞り度の低い冷蔵区域用蒸発器に多くの冷媒が流れ、絞り度の高い冷凍区域用蒸発器には少しの冷媒しか流れない。この冷媒が少ししか流れない冷凍区域用蒸発器では、冷媒はすぐに蒸発し切るが、多くの冷媒が流れる冷蔵区域用蒸発器では、冷媒が蒸発し切らずに液のまま圧縮機に戻る可能性がある。冷媒が液のまま圧縮機に戻ると、圧縮機がそれを圧縮し切れずに損壊するおそれがある。
【００２０】
これに対して、上述のように、冷蔵区域用蒸発器と冷凍区域用蒸発器とに同時に冷媒を流す折りに、冷蔵区域用ファンによる庫内空気の循環量を冷凍区域用ファンによる庫内空気の循環量より多くするようにしたものでは、冷蔵区域用蒸発器の庫内空気との熱交換の量を冷凍区域用蒸発器のそれより多くできるもので、熱交換の量が多くなれば、多くの冷媒が流れる冷蔵区域用蒸発器でも冷媒は蒸発し切るようになり、かくして、冷媒が液のまま圧縮機に戻ることがなくなり、圧縮機の損壊のおそれをなくすことができる。
【００２１】
本発明の冷蔵庫は、第２に、制御手段により、電源投入時には、庫内温度が所定温度に達するまで又は所定時間が経過するまで第２の流路にのみ冷媒を流し、その後に第１の流路と第２の流路の双方に冷媒を流し、このモードで庫内温度が所定温度に達するまで又は所定時間が経過するまで運転した後、冷蔵区域の冷却と冷凍区域の冷却とを交互に行う運転をするようにしたことを特徴とする（請求項２の発明）。
【００２２】
上述のように、冷蔵区域用蒸発器と冷凍区域用蒸発器とに同時に冷媒を流せば、絞り度の高い冷凍区域用蒸発器には少しの冷媒しか流れないのに対して、絞り度の低い冷蔵区域用蒸発器には多くの冷媒が流れ、それによって、冷媒が蒸発し切らずに液のまま圧縮機に戻る可能性があり、圧縮機が損壊するおそれがある。
【００２３】
これに対して、上述のように、電源投入時に、庫内温度が所定温度に達するまで又は所定時間が経過するまで第２の流路にのみ冷媒を流し、その後に第１の流路と第２の流路の双方に冷媒を流すようにしたものでは、冷却開始時に冷凍区域用蒸発器にのみ冷媒が流され、冷蔵区域用蒸発器にはそれより遅れて冷媒が流されるから、その分、冷蔵区域用蒸発器に流される冷媒の量が減じられる。かくして、冷凍区域用蒸発器ではもとより、冷蔵区域用蒸発器でも冷媒が蒸発し切るようになり、冷媒が液のまま圧縮機に戻ることがなくなって、圧縮機の損壊のおそれをなくすことができる。
【００２４】
これらの場合、圧縮機が圧縮能力の変更が可能であるか、又は凝縮器の放熱をする可変速のファンを具え、第１の流路と第２の流路の双方に冷媒を流すモードで運転をするときに、制御手段が、冷蔵区域及び冷凍区域の各庫内温度と両区域の目標温度との差が大きい段階では、その差が小さい場合よりも、圧縮機の圧縮能力を低くし、又は凝縮器放熱用のファンを高速で運転するようにすると良い  （請求項３の発明）。
【００２５】
電源投入時の、庫内温度が高い段階では、冷媒の蒸発温度、圧力が高くなる。冷媒の蒸発温度、圧力が高くなると、圧縮機の吸込みの冷媒密度が大きくなり、冷媒の循環量が多くなる。このため、凝縮器で必要とされる放熱量も大きくなる。凝縮器での放熱量が充分でないと、冷媒の凝縮温度、凝縮圧力が高くなり、圧縮機の負担が大きくなってしまって、大電流が流れる。又、この場合、凝縮器が冷蔵庫キャビネットに埋設されているものでは、その埋設部分が異常に熱くなることがある。
【００２６】
これに対して、上述のように第１の流路と第２の流路の双方に冷媒を流すモードで運転をするときに、冷蔵区域及び冷凍区域の各庫内温度と両区域の目標温度との差が大きい段階（庫内温度が高い段階）では、その差が小さい場合よりも、圧縮機の圧縮能力を低くすることにより、冷媒の循環量が減じられ、これによって、冷凍サイクルに負担をかけずに運転できるようになり、大電流が流れることのないようにできると共に、冷媒の凝縮温度、凝縮圧力を低くできるので、冷蔵庫キャビネットの凝縮器が埋設された部分が異常に熱くなることもないようにできる。
【００２７】
この場合、凝縮器の放熱をする可変速のファンを具えたものでは、それを高速で運転することにより、凝縮器での放熱量を充分にし、凝縮温度、凝縮圧力を低めることができるので、同様に冷凍サイクルに負担をかけずに運転できるようになり、冷蔵庫キャビネットの凝縮器が埋設された部分が異常に熱くなることもないようにできる。
【００２８】
又、庫内空気循環用のファンが変速可能で、第１の流路と第２の流路の双方に冷媒を流すモードで運転をするとき、制御手段が、冷蔵区域及び冷凍区域の各庫内温度と両区域の目標温度との差が大きい段階では、その差が小さい場合よりも、庫内空気循環用のファンを低速で運転するものであっても良い（請求項４の発明）。
【００２９】
上記請求項３の発明では、圧縮機の圧縮能力を低くすることにより冷媒の循環量を減じるようにしたが、それと同様の問題を解決するためには、庫内空気循環用のファンが変速可能なものの場合、第１の流路と第２の流路の双方に冷媒を流すモードで運転をするとき、冷蔵区域及び冷凍区域の各庫内温度と両区域の目標温度との差が大きい段階では、その差が小さい場合よりも、庫内空気循環用のファンを低速で運転することにより、冷蔵区域用蒸発器及び冷凍区域用蒸発器での庫内空気との熱交換の量を減じることができる。両蒸発器の庫内空気との熱交換の量を減じ得れば、冷媒の蒸発温度を低めることができるので、冷媒の循環量を減じることができ、もって、この場合も、冷凍サイクルに負担をかけずに運転できるようになり、冷蔵庫キャビネットの凝縮器が埋設された部分が異常に熱くなることもないようにできる。
【００３０】
更に、圧縮機が圧縮能力の変更が可能であるか、又は凝縮器の放熱をする可変速のファンを具え、第２の流路にのみ冷媒を流すモードで運転をするときより、第１の流路と第２の流路の双方に冷媒を流すモードで運転をするときに、圧縮機の圧縮能力を低くし、又は凝縮器放熱用のファンを高速で運転するものであっても良い（請求項５の発明）。
【００３１】
第２の流路にのみ冷媒を流すモードで運転をするときより、第１の流路と第２の流路の双方に冷媒を流すモードで運転をするときの方が冷凍サイクルの負担が大きい。従って、第２の流路にのみ冷媒を流すモードで運転をするときより、第１の流路と第２の流路の双方に冷媒を流すモードで運転をするときに、圧縮機の圧縮能力を低くすることにより、冷媒の循環量を減じ、冷凍サイクルに負担をかけずに運転できるようになり、冷蔵庫キャビネットの凝縮器が埋設された部分が異常に熱くなることもないようにできる。
【００３２】
この場合、凝縮器の放熱をする可変速のファンを具えたものでは、それを高速で運転することにより、凝縮器での放熱量を充分にし、凝縮温度、凝縮圧力を低めることができるので、同様に冷凍サイクルに負担をかけずに運転できるようになり、冷蔵庫キャビネットの凝縮器が埋設された部分が異常に熱くなることもないようにできる。
【００３３】
又、庫内空気循環用のファンが変速可能で、制御手段が、第２の流路にのみ冷媒を流すモードで運転をするときより、第１の流路と第２の流路の双方に冷媒を流すモードで運転をするときに庫内空気循環用のファンを低速で運転するものであっても良い（請求項６の発明）。
【００３４】
上記請求項５の発明では、圧縮機の圧縮能力を低くすることにより冷媒の循環量を減じるようにしたが、それと同様の問題を解決するためには、庫内空気循環用のファンが変速可能なものの場合、第２の流路にのみ冷媒を流すモードで運転をするときより、第１の流路と第２の流路の双方に冷媒を流すモードで運転をするときに庫内空気循環用のファンを低速で運転することにより、冷蔵区域用蒸発器及び冷凍区域用蒸発器での庫内空気との熱交換の量を減じることができる。両蒸発器の庫内空気との熱交換の量を減じ得れば、冷媒の蒸発温度を低めることができるので、冷媒の循環量を減じることができ、もって、この場合も、冷凍サイクルに負担をかけずに運転できるようになり、冷蔵庫キャビネットの凝縮器が埋設された部分が異常に熱くなることもないようにできる。
【００３５】
加えて、冷蔵区域用絞り手段又は冷凍区域用絞り手段が絞り度の調整が可能で、第１の流路と第２の流路の双方に冷媒を流すモードで運転をするとき、制御手段が、前記冷蔵区域用絞り手段の絞り度を第１の流路にのみ冷媒を流すときより高くするか、又は前記冷凍区域用絞り手段の絞り度を第２の流路にのみ冷媒を流すときより低くするものであっても良い（請求項７の発明）。
【００３６】
前述のように、冷蔵区域と冷凍区域とに関して、冷却温度は冷蔵区域より冷凍区域の方を低くする必要があり、そのために、冷蔵区域用蒸発器における冷媒の蒸発温度より、冷凍区域用蒸発器における冷媒の蒸発温度の方を低くする必要があって、冷蔵区域用蒸発器に流す冷媒の絞り度を低く（ゆるく）し、冷凍区域用蒸発器に流す冷媒の絞り度を高く（きつく）している。
【００３７】
このため、冷蔵区域用蒸発器と冷凍区域用蒸発器とに同時に冷媒を流せば、絞り度の低い冷蔵区域用蒸発器に多くの冷媒が流れ、絞り度の高い冷凍区域用蒸発器には少しの冷媒しか流れない。よって、両区域を同時に目標温度に向けて冷却しようとしても、冷蔵区域の冷却能力が大きくなってしまう。そこで、冷蔵区域用絞り手段の絞り度を第１の流路にのみ冷媒を流すときより高くするか、又は冷凍区域用絞り手段の絞り度を第２の流路にのみ冷媒を流すときより低くする。すると、冷蔵区域用蒸発器に流れる冷媒の量が減じられ、冷凍区域用蒸発器に流れる冷媒の量が増やされることによって、両蒸発器に流れる冷媒の量が適正化され、もって両区域をそれぞれ目標温度に向けて適正に冷却することができる。
【００３８】
この場合、冷蔵区域用絞り手段又は冷凍区域用絞り手段は、複数本のキャピラリチューブから成り、それの選択で絞り度の調整がなされるものであると良い  （請求項８の発明）。
このものでは、冷蔵区域用絞り手段又は冷凍区域用絞り手段の絞り度の調整が、複数本のキャピラリチューブの選択という容易な手法でできる。
【００３９】
更に、冷蔵区域用絞り手段又は冷凍区域用絞り手段は、冷媒出口の開度を変化させ得る弁から成り、その冷媒出口の開度の変化で絞り度の調整がなされるものであっても良い（請求項９の発明）。
このものでも、冷蔵区域用絞り手段又は冷凍区域用絞り手段の絞り度の調整が、弁の冷媒出口の開度の変化という容易な手法でできる。
【００４０】
そして、第１の流路と第２の流路の双方に冷媒を流すモードでの運転は、庫内温度又は外気温度が所定温度以上であることを条件に実行するようにすると良い（請求項１０の発明）。
【００４１】
第１の流路と第２の流路の双方に冷媒を流すモードで運転したとき、冷媒の凝縮温度、凝縮圧力が高くなるのは、庫内温度又は外気温度が高い場合であって、低い場合には、冷媒の凝縮温度、凝縮圧力が高くなることはない。従って、第１の流路と第２の流路の双方に冷媒を流すモードでの運転を、庫内温度又は外気温度が所定温度以上である場合にのみ実行することにより、必要な運転を必要な条件でのみ行い、不必要な条件で行うことを避けることができる。
【００４２】
このほか、第１の流路と第２の流路の双方に冷媒を流すモードで運転を実行している間、急速冷却又は除霜もしくは製氷の動作を実行しないようにすると良い（請求項１１の発明）。
【００４３】
第１の流路と第２の流路の双方に冷媒を流すモードで運転を実行しているときは、庫内が充分に冷却されていない。従って、そのようなときに急速冷却を行おうとしても、急速に冷却することはできない。又、この場合、除霜を行えば、庫内の冷却が更に遅れることなる。更に、製氷の動作を行おうとしても、庫内が充分に冷却されていないため、製氷することはできない。よって、それらの動作を、第１の流路と第２の流路の双方に冷媒を流すモードで運転を実行している間は実行しないようにすることにより、無駄な運転を行うことを避け、あるいは庫内の冷却が遅れるようになることを避けることができる。
【００４４】
【発明の実施の形態】
以下、本発明の第１実施例につき、図１ないし図７を参照して説明する。
まず図２には、冷蔵庫の全体的構成を示しており、断熱性を有するキャビネット３１の内部に、冷蔵区域３２と冷凍区域３３とを、断熱仕切壁３４により上下に区分して有している。更に、冷蔵区域３２は、仕切板３５により区分して、上方に冷蔵室３２ａを有し、下方に野菜室３２ｂを有している。しかして、冷凍区域３３は冷凍室３３ａのみで構成しており、その冷凍室３３ａ及び上記冷蔵室３２ａ、野菜室３２ｂには、貯蔵品収納ケースや棚など必要な備品３６，３７，３８を設けると共に、それぞれ独立の扉３９，４０，４１を設けている。
【００４５】
又、冷蔵区域３２には、野菜室３２ｂの奥部に冷蔵部品室４２を形成しており、この冷蔵部品室４２に冷蔵区域用の蒸発器４３とファン４４及びヒータ４５を配置している。冷凍区域３３には、冷凍室３３ａの奥部に冷凍部品室４６を形成しており、この冷凍部品室４６に冷凍区域用の蒸発器４７とファン４８及びヒータ４９を配置している。
【００４６】
上記ファン４４は冷蔵区域３２（冷蔵室３２ａ及び野菜室３２ｂ）の空気を図中矢印で示すように蒸発器４３に接触させて循環させるもので、ファン４８は冷凍区域３３（冷凍室３３ａ）の空気を同じく図中矢印で示すように蒸発器４７に接触させて循環させるものであり、すなわち、ともに庫内空気循環用である。これらのファン４４，４８は、それぞれ回転速度の変更が可能なもので、すなわち変速可能（可変速）となっている。又、ヒータ４５は蒸発器４３に付着した霜を溶解させて除去するもので、ヒータ４９は蒸発器４７に付着した霜を溶解させて除去するものであり、すなわち、ともに除霜用である。
【００４７】
庫外の後側最下部には機械室５０を形成しており、ここに圧縮機５１を配置している。この圧縮機５１は、例えばロータリーコンプレッサであり、回転速度の変更が可能な、可変速タイプである。この圧縮機５１には、図３に示すように、凝縮器５２を接続し、凝縮器５２には弁５３を接続している。この弁５３は、凝縮器５２に接続した１つの入口に対して２つの出口を開閉する三方弁であり、その一方の出口に、冷蔵区域用キャピラリチューブ５４を介して上記冷蔵区域用蒸発器４３を接続し、この接続路を第１の流路Ｘとして、それをサクションパイプ５５により圧縮機５１に帰還接続している。
【００４８】
弁５３の他方の出口には、冷凍冷区域用キャピラリチューブ５６を介して冷凍区域用蒸発器４７を接続し、この接続路を第２の流路Ｙとして、それを逆止弁５７を介して上記サクションパイプ５５に接続している。
従って、第１の流路Ｘと第２の流路Ｙは並列に接続している。なお、第２の流路Ｙの冷凍区域用蒸発器４７と逆止弁５７との間には、図示しないアキュムレータを接続することもある。
【００４９】
このように接続した構成は冷凍サイクルであり、その内部には冷媒を封入している。この冷媒は、圧縮機５１を起動させることにより、該圧縮機５１で圧縮され、次いで凝縮器５２で凝縮された後、弁５３により流路が第１の流路Ｘと第２の流路Ｙとについて選択されるようになっている。従って、弁５３は流路選択手段として機能する。なお、弁５３は、第１の流路Ｘと第２の流路Ｙとのいずれか一方ずつに冷媒を流す状態と、双方に冷媒を流す状態とに選択設定し得るようになっている。
【００５０】
第１の流路Ｘを通る冷媒は、すなわち、冷蔵区域用キャピラリチューブ５４を通り、その過程で該冷蔵区域用キャピラリチューブ５４により絞られ、その後、冷蔵区域用蒸発器４３を通って蒸発した後、サクションパイプ５５を通って圧縮機５１に帰還する。
第２の流路Ｙを通る冷媒は、すなわち、冷凍区域用キャピラリチューブ５６を通り、その過程で該冷蔵区域用キャピラリチューブ５６により絞られ、その後、冷凍区域用蒸発器４７を通って蒸発した後、逆止弁５７を通り、更にサクションパイプ５５を通って圧縮機５１に帰還する。
【００５１】
このように働くことにより、冷蔵区域用蒸発器４３び冷凍区域用蒸発器４７は、それらに接触する冷蔵区域３２の庫内空気及び冷凍区域３３の庫内空気からそれぞれ熱を吸収してその温度を下げ、もって、前記冷蔵区域３２及び冷凍区域３３の冷却をする。
【００５２】
この場合、冷却温度は、冷蔵区域３２が氷点以上、冷凍区域３３が氷点未満であって、冷蔵区域３２より冷凍区域３３の方を低くする必要があり、そのために、冷蔵区域用キャピラリチューブ５４の冷媒の対する絞り度を低く（ゆるく）し、冷凍区域用キャピラリチューブ５６の絞り度を高く（きつく）することによって、冷蔵区域用蒸発器４３における冷媒の蒸発温度より、冷凍区域用蒸発器４７における冷媒の蒸発温度を低くするようにしている。従って、冷蔵区域用キャピラリチューブ５４は冷蔵区域用の絞り手段、中でも低絞り手段として機能するものであり、冷凍区域用キャピラリチューブ５５は冷凍区域用の絞り手段、中でも高絞り手段として機能する。
【００５３】
又、凝縮器５２に対しては、これの放熱をするファン５８を設けている。このファン５８は回転速度の変更が可能なもので、すなわち可変速となっている。なお、凝縮器５２は、その一部を図２に示すように前記キャビネット３１の外下方部に配置し、そのほかの部分をキャビネット３１の周囲部に埋設している。
【００５４】
図４には制御装置５９を示している。この制御装置５９は、本実施例の冷蔵庫の運転全般を制御する制御手段として機能するもので、例えばマイクロコンピュータから成っている。
【００５５】
この制御装置５９には、前記冷蔵区域３２の温度を検知するように設けた冷蔵区域温度検知手段であり庫内空気温度センサである冷蔵区域温度センサ６０と、前記冷凍区域３３の温度を検知するように設けた冷凍区域温度検知手段であり庫内空気温度センサである冷凍区域温度センサ６１、並びにキャビネット３１外の温度を検知するように設けた外気温度検知手段である外気温度センサ６２からそれぞれ温度検知信号が入力されると共に、使用者による庫内温度そのほかの任意の設定指示を受ける設定操作部６３から設定操作信号が入力されるようになっている。
【００５６】
そして、それらの入力並びにあらかじめ記憶された制御プログラムに基づいて、制御装置５９は、前記冷蔵区域用ファン４４と、冷凍区域用ファン４８、凝縮器放熱用ファン５８、弁５３、及び圧縮機５１を駆動するための駆動装置６４に駆動制御信号を与えるようになっている。
【００５７】
次に、上記構成のものの作用を述べる。
制御装置５９は、図１に示すように電源が投入されると、弁５３を、図５に矢印で示すように第１の流路Ｘと第２の流路Ｙとの双方に冷媒を流す状態に設定し、この状態で、圧縮機５１を起動させる。又、このとき、冷蔵区域用ファン４４（Ｒファン）を高速（例えば２０００〔ｒｐｍ〕）で起動させ、冷凍区域用ファン４８（Ｆファン）を低速（例えば１５００〔ｒｐｍ〕）で起動させる（ステップＳ１）。
【００５８】
その後、冷凍区域温度センサ６１の検知結果から、冷凍区域３３（Ｆ）の温度が所定温度（この場合、−５〔℃〕未満）に達したか否か、又は冷蔵区域温度センサ６０の検知結果から、冷蔵区域３２（Ｒ）の温度が所定温度（この場合、１０〔℃〕未満）に達したか否かの判断をする（ステップＳ２）。このステップＳ２で、冷凍区域３３と冷蔵区域３２の温度がそれぞれ−５〔℃〕未満と１０〔℃〕未満とに達していない（ＮＯ）と判断されれば、次に、運転の開始（電源投入）から所定時間（この場合、３時間）が経過したか否かの判断をし（ステップＳ３）、経過していない（ＮＯ）と判断されれば、ステップＳ２に戻る。
【００５９】
そして、ステップＳ２で、冷凍区域３３の温度が−５〔℃〕未満に達した、又は冷蔵区域３２の温度が１０〔℃〕未満に達した（ＹＥＳ）と判断されるか、ステップＳ３で、３時間が経過した（ＹＥＳ）と判断されるかすれば、弁５３を、図６に矢印で示すように第１の流路Ｘに冷媒を流す状態と、図７に矢印で示すように第２の流路Ｙに冷媒を流す状態とに交互に設定することにより、冷蔵区域３２の冷却と冷凍区域３３の冷却とを交互に行うようにする（ステップＳ４）。
【００６０】
このように本実施例のものでは、電源投入時に、冷蔵区域用蒸発器４３の存する第１の流路Ｘと冷凍区域用蒸発器４７の存する第２の流路Ｙの双方に冷媒を流すようにすると共に、冷蔵区域用ファン４４を高速で回転させ、冷凍区域用ファン４８を低速で回転させることにより、冷蔵区域用ファン４４による庫内空気の循環量を冷凍区域用ファン４８による庫内空気の循環量より多くするようにし、このモードで庫内温度が所定温度に達するまで又は所定時間が経過するまで運転した後、冷蔵区域３２の冷却と冷凍区域３３の冷却とを交互に行う運転をするようにしている。
【００６１】
冷媒を冷蔵区域用蒸発器４３に流す第１の流路Ｘと冷凍区域用蒸発器４７に流す第２の流路Ｙとを並列に有し、冷蔵区域３２及び冷凍区域３３を交互に冷却するものでも、上述のごとく、電源投入時に、それらの両方に冷媒を流すようにすれば、両区域３２，３３を速やかに冷却することができる。
【００６２】
たゞし、冷却温度は冷蔵区域３２より冷凍区域３３の方を低くする必要から冷蔵区域用蒸発器４３における冷媒の蒸発温度より、冷凍区域用蒸発器４７における冷媒の蒸発温度の方を低くする必要があって、そのために、冷蔵区域用蒸発器４３に流す冷媒の絞り度を低く（ゆるく）し、冷凍区域用蒸発器４７に流す冷媒の絞り度を高く（きつく）している。
【００６３】
このため、冷蔵区域用蒸発器４３と冷凍区域用蒸発器４７とに同時に冷媒を流せば、絞り度の低い冷蔵区域用蒸発器４３に多くの冷媒が流れ、絞り度の高い冷凍区域用蒸発器４７には少しの冷媒しか流れない。この冷媒が少ししか流れない冷凍区域用蒸発器４７では、冷媒はすぐに蒸発し切るが、多くの冷媒が流れる冷蔵区域用蒸発器４３では、冷媒が蒸発し切らずに液のまま圧縮機５１に戻る可能性がある。冷媒が液のまま圧縮機５１に戻ると、圧縮機５１がそれを圧縮し切れずに損壊するおそれがある。
【００６４】
これに対して、上述のように、冷蔵区域用蒸発器４３と冷凍区域用蒸発器４７とに同時に冷媒を流す折りに、冷蔵区域用ファン４４による庫内空気の循環量を冷凍区域用ファン４８による庫内空気の循環量より多くするようにしたものでは、冷蔵区域用蒸発器４３の庫内空気との熱交換の量を冷凍区域用蒸発器４７のそれより多くできるもので、熱交換の量が多くなれば、多くの冷媒が流れる冷蔵区域用蒸発器４３でも冷媒は蒸発し切るようになるから、冷媒が液のまま圧縮機５１に戻ることがなくなり、圧縮機５１の損壊のおそれをなくすことができる。
【００６５】
以上に対して、図８ないし図２０は本発明の第２ないし第１１実施例を示すもので、それぞれ、第１実施例と同一の部分には同一の符号を付して説明を省略し、異なる部分についてのみ述べる。
［第２実施例］
図８に示す第２実施例においては、制御装置５９が、電源が投入されると、弁５３を、第２の流路Ｙに冷媒を流す状態に設定し、この状態で、圧縮機５１を起動させると共に、冷凍区域用ファン４８を高速（例えば２０００〔ｒｐｍ〕）で起動させる（ステップＳ１１）。
【００６６】
この後、冷凍区域温度センサ６１の検知結果から、冷凍区域３３の温度が所定温度（この場合、５〔℃〕未満）に達したか否か、又は所定時間（この場合、１時間）が経過したか否かの判断をし（ステップＳ１２）、それぞれ、達していない、経過していない（ＮＯ）と判断されれば、このステップＳ１２を繰返す。
【００６７】
ステップＳ１２で、５〔℃〕未満に達した、又は１時間が経過した（ＹＥＳ）と判断されれば、次に、弁５３を、第１の流路Ｘと第２の流路Ｙとの双方に冷媒を流す状態に切換え設定し、冷凍区域用ファン４８を高速で回転させている状況に、冷蔵区域用ファン４４を高速（例えば２０００〔ｒｐｍ〕）で起動させる動作を加える（ステップＳ１３）。
【００６８】
この後、先のステップＳ２同様に、冷凍区域温度センサ６１の検知結果から、冷凍区域３３の温度が所定温度（この場合も、−５〔℃〕未満）に達したか否か、又は冷蔵区域温度センサ６０の検知結果から、冷蔵区域３２の温度が所定温度（この場合も、１０〔℃〕未満）に達したか否かの判断をする（ステップＳ１４）。このステップＳ１４で、冷凍区域３３と冷蔵区域３２の温度がそれぞれ−５〔℃〕未満と１０〔℃〕未満とに達していない（ＮＯ）と判断されれば、次に、先のステップＳ３同様に、運転の開始（電源投入）から所定時間（この場合も、３時間）が経過したか否かの判断をし（ステップＳ１５）、経過していない（ＮＯ）と判断されれば、ステップＳ１４に戻る。
【００６９】
そして、ステップＳ１４で、冷凍区域３３の温度が−５〔℃〕未満に達した、又は冷蔵区域３２の温度が１０〔℃〕未満に達した（ＹＥＳ）と判断されるか、ステップＳ１５で、３時間が経過した（ＹＥＳ）と判断されるかすれば、先のステップＳ４同様に、弁５３を、第１の流路Ｘに冷媒を流す状態と、第２の流路Ｙに冷媒を流す状態とに交互に設定することにより、冷蔵区域３２の冷却と冷凍区域３３の冷却とを交互に行うようにする（ステップＳ１６）。
【００７０】
このように本実施例のものでは、電源投入時に、庫内温度が所定温度に達するまで又は所定時間が経過するまで第２の流路Ｙにのみ冷媒を流し、その後に第１の流路Ｘと第２の流路Ｙの双方に冷媒を流し、このモードで庫内温度が所定温度に達するまで又は所定時間が経過するまで運転した後、冷蔵区域３２の冷却と冷凍区域３３の冷却とを交互に行う運転をするようにしている。
【００７１】
前述のように、冷蔵区域用蒸発器４３と冷凍区域用蒸発器４７とに同時に冷媒を流せば、絞り度の高い冷凍区域用蒸発器４７には少しの冷媒しか流れないのに対して、絞り度の低い冷蔵区域用蒸発器４３には多くの冷媒が流れ、それによって、冷媒が蒸発し切らずに液のまま圧縮機５１に戻る可能性があり、圧縮機５１が損壊するおそれがある。
【００７２】
これに対して、上述のように、電源投入時に、庫内温度が所定温度に達するまで又は所定時間が経過するまで第２の流路Ｙにのみ冷媒を流し、その後に第１の流路Ｘと第２の流路Ｙの双方に冷媒を流すようにしたものでは、冷却開始時に冷凍区域用蒸発器４７にのみ冷媒が流され、冷蔵区域用蒸発器４３にはそれより遅れて冷媒が流されるから、その分、冷蔵区域用蒸発器４３に流される冷媒の量が減じられる。かくして、冷凍区域用蒸発器４７ではもとより、冷蔵区域用蒸発器４３でも冷媒が蒸発し切るようになり、冷媒が液のまま圧縮機５１に戻ることがなくなって、圧縮機５１の損壊のおそれをなくすことができる。
【００７３】
［第３実施例］
図９に示す第３実施例においては、制御装置５９が、第１実施例及び第２実施例の、それぞれ第１の流路Ｘと第２の流路Ｙの双方に冷媒を流すモードで運転をするときに、圧縮機５１に対する運転の指令を下記のように行う。まず、冷凍区域温度センサ６１で検知した冷凍区域３３の温度Ｆact と、冷凍区域３３の目標温度（この場合、目標温度の上限値Ｆu ）との差、並びに冷蔵区域温度センサ６０で検知した冷蔵区域３２の温度Ｒact と、冷蔵区域３２の目標温度（この場合、目標温度の上限値Ｒu ）との差の和が所定値（この場合、４０Ｋ）より小さいか否かの判断をする（ステップＳ２１）。
【００７４】
このステップＳ２１で、両差の和が４０Ｋより小さくない（ＮＯ：４０Ｋより大きい）と判断されれば、圧縮機５１を低速（この場合、５０〔ｒｐｓ〕）で回転させ（ステップＳ２２）、ステップＳ２１に戻って両差の和が４０Ｋより小さくないと判断され続けるうちは、ステップＳ２２を繰返す。
そして、両差の和が４０Ｋより小さい（ＹＥＳ）と判断されるようになれば、圧縮機５１を高速（この場合、７５〔ｒｐｓ〕）に切換えて回転させる（ステップＳ２３）。
【００７５】
このように本実施例のものでは、第１実施例及び第２実施例の、それぞれ第１の流路Ｘと第２の流路Ｙの双方に冷媒を流すモードで運転をするときに、冷蔵区域３２及び冷凍区域３３の各庫内温度と両区域３２，３３の目標温度との差が大きい段階では、その差が小さい場合よりも、圧縮機５１の回転速度を低くし、もって圧縮能力を低くして運転するようにしている。
【００７６】
電源投入時の、庫内温度が高い段階では、冷媒の蒸発温度、圧力が高くなる。冷媒の蒸発温度、圧力が高くなると、圧縮機５１の吸込みの冷媒密度が大きくなり、冷媒の循環量が多くなる。このため、凝縮器５２で必要とされる放熱量も大きくなる。凝縮器５２での放熱量が充分でないと、冷媒の凝縮温度、凝縮圧力が高くなり、圧縮機５１の負担が大きくなってしまって、大電流が流れる。又、この場合、凝縮器５２がキャビネット３１に埋設されている構成では、その埋設部分が異常に熱くなることがある。
【００７７】
これに対して、上述のように第１の流路Ｘと第２の流路Ｙの双方に冷媒を流すモードで運転をするときに、冷蔵区域３２及び冷凍区域３３の各庫内温度と両区域３２，３３の目標温度との差が大きい段階（庫内温度が高い段階）では、その差が小さい場合よりも、圧縮機５１の圧縮能力を低くすることにより、冷媒の循環量が減じられ、これによって、冷凍サイクルに負担をかけずに運転できるようになり、大電流が流れることのないようにできると共に、冷媒の凝縮温度、凝縮圧力を低くできるので、キャビネット３１の、凝縮器５２が埋設された部分が異常に熱くなることもないようにできる。
【００７８】
この場合、本実施例のものでは、凝縮器５２の放熱をする可変速のファン５８を具えており、第１の流路Ｘと第２の流路Ｙの双方に冷媒を流すモードで運転をするときに、冷蔵区域３２及び冷凍区域３３の各庫内温度と両区域３２，３３の目標温度との差が大きい段階では、その差が小さい場合よりも、圧縮機５１の圧縮能力を低くするのに代えて、凝縮器放熱用のファン５８を高速で運転するようにしても良い。
【００７９】
このように凝縮器放熱用のファン５８を高速で運転すれば、凝縮器５２での放熱量が充分となり、凝縮温度、凝縮圧力を低めることができるので、上述同様に冷凍サイクルに負担をかけずに運転できるようになり、キャビネット３１の、凝縮器が埋設された部分が異常に熱くなることもないようにできる。
なお、この凝縮器放熱用のファン５８の制御は、それ単独ではなく、上述の圧縮機５１の制御と組合わせて実施するようにしても良い。
【００８０】
［第４実施例］
図１０に示す第４実施例においては、制御装置５９が、第２実施例の、第１の流路Ｘと第２の流路Ｙの双方に冷媒を流すモードで運転をするときに、庫内空気循環用のファン（庫内ファン）である冷蔵区域用ファン４４及び冷凍区域用ファン４８に対する運転の指令を下記のように行う。まず、上述のステップＳ２１同様に、冷凍区域温度センサ６１で検知した冷凍区域３３の温度Ｆact と、冷凍区域３３の目標温度（この場合、目標温度の上限値Ｆu ）との差、並びに冷蔵区域温度センサ６０で検知した冷蔵区域３２の温度Ｒact と、冷蔵区域３２の目標温度（この場合、目標温度の上限値Ｒu ）との差の和が所定値（この場合も、４０Ｋ）より小さいか否かの判断をする（ステップＳ３１）。
【００８１】
このステップＳ３１で、両差の和が４０Ｋより小さくない（ＮＯ：４０Ｋより大きい）と判断されれば、冷蔵区域用ファン４４及び冷凍区域用ファン４８を低速（この場合、１５００〔ｒｐｍ〕）で回転させ（ステップＳ３２）、ステップＳ３１に戻って両差の和が４０Ｋより小さくないと判断され続けるうちは、ステップＳ３２を繰返す。
そして、両差の和が４０Ｋより小さい（ＹＥＳ）と判断されるようになれば、冷蔵区域用ファン４４及び冷凍区域用ファン４８を高速（この場合、１８００  〔ｒｐｍ〕）に切換えて回転させる（ステップＳ３３）。
【００８２】
このように本実施例のものでは、第２実施例の、第１の流路Ｘと第２の流路Ｙの双方に冷媒を流すモードで運転をするときに、冷蔵区域３２及び冷凍区域３３の各庫内温度と両区域３２，３３の目標温度との差が大きい段階では、その差が小さい場合よりも、庫内空気循環用のファン４４，４８を低速で運転するようにしている。
【００８３】
上記第３実施例では、圧縮機５１の圧縮能力を低くすることにより冷媒の循環量を減じるようにしたが、それと同様の問題を解決するためには、庫内空気循環用のファン４４，４８が変速可能なものの場合、第２実施例の、第１の流路Ｘと第２の流路Ｙの双方に冷媒を流すモードで運転をするとき、冷蔵区域３２及び冷凍区域３３の各庫内温度と両区域３２，３３の目標温度との差が大きい段階では、その差が小さい場合よりも、庫内空気循環用のファン４４，４８を低速で運転することにより、冷蔵区域用蒸発器４３及び冷凍区域用蒸発器４７での庫内空気との熱交換の量を減じることができる。両蒸発器４３，４７の庫内空気との熱交換の量を減じ得れば、冷媒の蒸発温度を低めることができるので、冷媒の循環量を減じることができ、もって、この場合も、冷凍サイクルに負担をかけずに運転できるようになり、キャビネット３１の、凝縮器５１が埋設された部分が異常に熱くなることもないようにできる。
【００８４】
なお、この庫内空気循環用のファン４４，４８の制御は、それ単独ではなく、第３実施例の圧縮機５１の制御、又は凝縮器放熱用ファン５８の制御、もしくはその双方の制御と組合わせて実施するようにしても良い。
【００８５】
［第５実施例］
図１１に示す第５実施例においては、制御装置５９が、電源が投入されると、弁５３を、第２の流路Ｙに冷媒を流す状態に設定し、この状態で、圧縮機５１を高速（この場合、７５〔ｒｐｓ〕）で起動させると共に、冷凍区域用ファン４８を高速（例えば２０００〔ｒｐｍ〕）で起動させる（ステップＳ４１）。
【００８６】
この後、冷凍区域温度センサ６１の検知結果から、冷凍区域３３の温度が所定温度（この場合、５〔℃〕未満）に達したか否か、又は所定時間（この場合、２時間）が経過したか否かの判断をし（ステップＳ４２）、それぞれ、達していない、経過していない（ＮＯ）と判断されれば、このステップＳ４２を繰返す。
【００８７】
ステップＳ４２で、５〔℃〕未満に達した、又は２時間が経過した（ＹＥＳ）と判断されれば、次に、弁５３を、第１の流路Ｘと第２の流路Ｙとの双方に冷媒を流す状態に切換え設定し、圧縮機５１を低速（この場合、５０〔ｒｐｓ〕）に切換えて回転させると共に、更に、冷凍区域用ファン４８を高速で回転させている状況に、冷蔵区域用ファン４４を高速（例えば２０００〔ｒｐｍ〕）で起動させる動作を加える（ステップＳ４３）。
【００８８】
この後、先のステップＳ２同様に、冷凍区域温度センサ６１の検知結果から、冷凍区域３３の温度が所定温度（この場合も、−５〔℃〕未満）に達したか否か、又は冷蔵区域温度センサ６０の検知結果から、冷蔵区域３２の温度が所定温度（この場合も、１０〔℃〕未満）に達したか否かの判断をする（ステップＳ４４）。このステップＳ４４で、冷凍区域３３と冷蔵区域３２の温度がそれぞれ−５〔℃〕未満と１０〔℃〕未満とに達していない（ＮＯ）と判断されれば、次に、先のステップＳ３同様に、運転の開始（電源投入）から所定時間（この場合も、３時間）が経過したか否かの判断をし（ステップＳ４５）、経過していない（ＮＯ）と判断されれば、ステップＳ４４に戻る。
【００８９】
そして、ステップＳ４４で、冷凍区域３３の温度が−５〔℃〕未満に達した、又は冷蔵区域３２の温度が１０〔℃〕未満に達した（ＹＥＳ）と判断されるか、ステップＳ４５で、３時間が経過した（ＹＥＳ）と判断されるかすれば、先のステップＳ４同様に、弁５３を、第１の流路Ｘに冷媒を流す状態と、第２の流路Ｙに冷媒を流す状態とに交互に設定することにより、冷蔵区域３２の冷却と冷凍区域３３の冷却とを交互に行うようにする（ステップＳ４６）。
【００９０】
このように本実施例のものでは、第２の流路Ｙにのみ冷媒を流すモードで運転をするときより、第１の流路Ｘと第２の流路Ｙの双方に冷媒を流すモードで運転をするときに、圧縮機５１の回転速度を低くすることによって圧縮能力を低くして運転するようにしている。
【００９１】
第２の流路Ｙにのみ冷媒を流すモードで運転をするときより、第１の流路Ｘと第２の流路Ｙの双方に冷媒を流すモードで運転をするときの方が冷凍サイクルの負担が大きい。従って、第２の流路Ｙにのみ冷媒を流すモードで運転をするときより、第１の流路Ｘと第２の流路Ｙの双方に冷媒を流すモードで運転をするときに、圧縮機５１の圧縮能力を低くすることにより、冷媒の循環量を減じ、冷凍サイクルに負担をかけずに運転できるようになり、キャビネット３１の、凝縮器５２が埋設された部分が異常に熱くなることもないようにできる。
【００９２】
この場合、凝縮器５２の放熱をする可変速のファン５８を具えた本実施例においては、第２の流路Ｙにのみ冷媒を流すモードで運転をするときより、第１の流路Ｘと第２の流路Ｙの双方に冷媒を流すモードで運転をするときに、圧縮機５１の圧縮能力を低くするのに代えて、凝縮器放熱用ファン５８を高速で運転するようにしても良い。
【００９３】
このように凝縮器放熱用のファン５８を高速で運転すれば、凝縮器５２での放熱量が充分となり、凝縮温度、凝縮圧力を低めることができるので、上述同様に冷凍サイクルに負担をかけずに運転できるようになり、キャビネット３１の、凝縮器が埋設された部分が異常に熱くなることもないようにできる。
なお、この凝縮器放熱用のファン５８の制御は、それ単独ではなく、上述の圧縮機５１の制御と組合わせて実施するようにしても良い。
【００９４】
［第６実施例］
図１２に示す第６実施例においては、制御装置５９が、電源が投入されると、弁５３を、第２の流路Ｙに冷媒を流す状態に設定し、この状態で、圧縮機５１を起動させると共に、冷凍区域用ファン４８を高速（例えば２０００〔ｒｐｍ〕）で起動させる（ステップＳ５１）。
【００９５】
この後、先のステップＳ４２同様に、冷凍区域温度センサ６１の検知結果から、冷凍区域３３の温度が所定温度（この場合も、５〔℃〕未満）に達したか否か、又は所定時間（この場合も、２時間）が経過したか否かの判断をし（ステップＳ５２）、それぞれ、達していない、経過していない（ＮＯ）と判断されれば、このステップＳ５２を繰返す。
【００９６】
ステップＳ５２で、５〔℃〕未満に達した、又は２時間が経過した（ＹＥＳ）と判断されれば、次に、弁５３を、第１の流路Ｘと第２の流路Ｙとの双方に冷媒を流す状態に切換え設定し、冷凍区域用ファン４８を低速（例えば１５００〔ｒｐｍ〕）に切換えて回転させると共に、冷蔵区域用ファン４４を低速（これも例えば１５００〔ｒｐｍ〕）で起動させる（ステップＳ５３）。
【００９７】
この後、先のステップＳ２同様に、冷凍区域温度センサ６１の検知結果から、冷凍区域３３の温度が所定温度（この場合も、−５〔℃〕未満）に達したか否か、又は冷蔵区域温度センサ６０の検知結果から、冷蔵区域３２の温度が所定温度（この場合も、１０〔℃〕未満）に達したか否かの判断をする（ステップＳ５４）。このステップＳ５４で、冷凍区域３３と冷蔵区域３２の温度がそれぞれ−５〔℃〕未満と１０〔℃〕未満とに達していない（ＮＯ）と判断されれば、次に、先のステップＳ３同様に、運転の開始（電源投入）から所定時間（この場合も、３時間）が経過したか否かの判断をし（ステップＳ５５）、経過していない（ＮＯ）と判断されれば、ステップＳ５４に戻る。
【００９８】
そして、ステップＳ５４で、冷凍区域３３の温度が−５〔℃〕未満に達した、又は冷蔵区域３２の温度が１０〔℃〕未満に達した（ＹＥＳ）と判断されるか、ステップＳ５５で、３時間が経過した（ＹＥＳ）と判断されるかすれば、先のステップＳ４同様に、弁５３を、第１の流路Ｘに冷媒を流す状態と、第２の流路Ｙに冷媒を流す状態とに交互に設定することにより、冷蔵区域３２の冷却と冷凍区域３３の冷却とを交互に行うようにする（ステップＳ５６）。
【００９９】
このように本実施例のものでは、第２の流路Ｙにのみ冷媒を流すモードで運転をするときより、第１の流路Ｘと第２の流路Ｙの双方に冷媒を流すモードで運転をするときに、庫内空気循環用のファン４４，４８を低速で運転するようにしている。
【０１００】
第５実施例では、圧縮機５１の圧縮能力を低くすることにより冷媒の循環量を減じるようにしたが、それと同様の問題を解決するためには、庫内空気循環用のファン４４，４８が変速可能なものの場合、第２の流路Ｙにのみ冷媒を流すモードで運転をするときより、第１の流路Ｘと第２の流路Ｙの双方に冷媒を流すモードで運転をするときに庫内空気循環用のファン４４，４８を低速で運転することにより、冷蔵区域用蒸発器４３及び冷凍区域用蒸発器４７での庫内空気との熱交換の量を減じることができる。両蒸発器４３，４７の庫内空気との熱交換の量を減じ得れば、冷媒の蒸発温度を低めることができるので、冷媒の循環量を減じることができ、もって、この場合も、冷凍サイクルに負担をかけずに運転できるようになり、キャビネット３１の、凝縮器５２が埋設された部分が異常に熱くなることもないようにできる。
【０１０１】
なお、この庫内空気循環用のファン４４，４８の制御は、それ単独ではなく、第５実施例の圧縮機５１の制御、又は凝縮器放熱用ファン５８の制御、もしくはその双方の制御と組合わせて実施するようにしても良い。
【０１０２】
［第７実施例］
図１３及び図１４に示す第７実施例においては、まず図１３に示すように、先の弁（三方弁）５３に代えて、膨張弁７１と、１つの入口に対して１つの出口を開閉する二方弁から成る弁７２とを使用し、そのうちの膨張弁７１を凝縮器５２と冷蔵区域用キャピラリチューブ５４との間に接続し、すなわち、第１の流路Ｘに設け、弁７２を凝縮器５２と冷凍区域用キャピラリチューブ５６との間に接続し、すなわち、第２の流路Ｙに設けている。
【０１０３】
この場合、膨張弁７１は、圧縮機５１から凝縮器５２を経た冷媒を絞り膨脹させる絞り作用を有するものであり、従って、この膨張弁７１は、冷蔵区域用キャピラリチューブ５４と共に、あるいはそれに代わる、冷蔵区域用絞り手段として機能するようになっており、この膨張弁７１のみを使用する（冷蔵区域用キャピラリチューブ５４を使用しない）ことも可能である。
又、この膨張弁７１は、その絞り度を例えばモータ等のアクチュエータにより変化させ得るようになっており、すなわち、絞り度の調整が可能なものとなっている。
【０１０４】
この構成で、制御装置５９は、図１４に示すように電源が投入されると、膨張弁７１と弁７２とを開放させて第１の流路Ｘと第２の流路Ｙとの双方に冷媒を流す状態に設定するも、膨張弁７１を絞り度が高い（きつい）状態に調整し、この状態で、圧縮機５１を起動させる。又、このとき、冷蔵区域用ファン４４を高速（例えば２０００〔ｒｐｍ〕）で起動させ、冷凍区域用ファン４８を低速（例えば１５００〔ｒｐｍ〕）で起動させる（ステップＳ６１）。
【０１０５】
その後、先のステップＳ２同様に、冷凍区域温度センサ６１の検知結果から、冷凍区域３３の温度が所定温度（この場合も、−５〔℃〕未満）に達したか否か、又は冷蔵区域温度センサ６０の検知結果から、冷蔵区域３２の温度が所定温度（この場合も、１０〔℃〕未満）に達したか否かの判断をする（ステップＳ６２）。このステップＳ６２で、冷凍区域３３と冷蔵区域３２の温度がそれぞれ−５〔℃〕未満と１０〔℃〕未満とに達していない（ＮＯ）と判断されれば、次に、先のステップＳ３同様に、運転の開始（電源投入）から所定時間（この場合、３時間）が経過したか否かの判断をし（ステップＳ６３）、経過していない（ＮＯ）と判断されれば、ステップＳ６２に戻る。
【０１０６】
そして、ステップＳ６２で、冷凍区域３３の温度が−５〔℃〕未満に達した、又は冷蔵区域３２の温度が１０〔℃〕未満に達した（ＹＥＳ）と判断されるか、ステップＳ６３で、３時間が経過した（ＹＥＳ）と判断されるかすれば、膨張弁７１と弁７２とを交互に開放させることにより、第１の流路Ｘに冷媒を流す状態と、第２の流路Ｙに冷媒を流す状態とに交互に設定し、冷蔵区域３２の冷却と冷凍区域３３の冷却とを交互に行うようにする（ステップＳ６４）。このとき、膨張弁７１は絞り度が低い（ゆるい）状態に調整する。
【０１０７】
このように本実施例のものでは、冷蔵区域用絞り手段である膨張弁７１の絞り度の調整が可能で、第１の流路Ｘと第２の流路Ｙの双方に冷媒を流すモードで運転をするとき（ステップＳ６１〜Ｓ６３）、上記冷蔵区域用絞り手段（膨張弁７１）の絞り度を第１の流路Ｙにのみ冷媒を流すとき（ステップＳ６４以降）より高く（きつく）するようにしている。
【０１０８】
前述のように、冷蔵区域３２と冷凍区域３３とに関して、冷却温度は冷蔵区域３２より冷凍区域３３の方を低くする必要があり、そのために、本来は、冷蔵区域用蒸発器４３における冷媒の蒸発温度より、冷凍区域用蒸発器４７における冷媒の蒸発温度の方を低くする必要があって、冷蔵区域用蒸発器４３に流す冷媒の絞り度を低く（ゆるく）し、冷凍区域用蒸発器に流す冷媒の絞り度を高く（きつく）している。
【０１０９】
このため、冷蔵区域用蒸発器４３と冷凍区域用蒸発器４７とに同時に冷媒を流せば、絞り度の低い冷蔵区域用蒸発器４３に多くの冷媒が流れ、絞り度の高い冷凍区域用蒸発器４７には少しの冷媒しか流れない。よって、両区域３２，３３を同時に目標温度に向けて冷却しようとしても、冷蔵区域３２の冷却能力が大きくなってしまう。そこで、冷蔵区域用絞り手段の絞り度を第１の流路Ｘにのみ冷媒を流すときより高く（きつく）する。すると、冷蔵区域用蒸発器４３に流れる冷媒の量が減じられ、その分、冷凍区域用蒸発器４７に流れる冷媒の量が増やされることによって、両蒸発器４３，４７に流れる冷媒の量が適正化され、もって両区域３２，３３をそれぞれ目標温度に向けて適正に冷却することができる。
【０１１０】
この場合、上述の構成に代えて、弁７２を第１の流路Ｘに設け、膨張弁７１を第２の流路Ｙに設けることにより、該膨張弁７１を、冷凍区域用キャピラリチューブ５６に代わる、冷凍区域用絞り手段として機能させるようにし、そして、その冷凍区域用絞り手段たる膨張弁７１の絞り度を、第１の流路Ｘと第２の流路Ｙの双方に冷媒を流すモードで運転をするときに、第２の流路Ｙにのみ冷媒を流すときより低く（ゆるく）するようにしても良い。このようにすれば、冷凍区域用蒸発器４７に流れる冷媒の量が増やされ、その分、冷蔵区域用蒸発器４３に流れる冷媒の量が減じられることによって、両蒸発器４３，４７に流れる冷媒の量が適正化されるから、両区域３２，３３をそれぞれ目標温度に向けて適正に冷却することができる。
【０１１１】
なお、この冷蔵区域用絞り手段の絞り度の調整、又は冷凍区域用絞り手段の絞り度の調整は、第２実施例の、第１の流路Ｘと第２の流路Ｙの双方に冷媒を流すモードで運転をするときと、第１の流路Ｘ又は第２の流路Ｙにのみ冷媒を流すときとで行うようにしても良い。
【０１１２】
［第８実施例］
図１５に示す第８実施例においては、先の弁（三方弁）５３や、膨張弁７１、弁７２に代えて、１つの入口に対して３つの出口を開閉する四方弁から成る弁８１を使用し、これの入口に凝縮器５２を接続している。この弁８１の一つの出口にはキャピラリチューブ８２を介して冷蔵区域用蒸発器４３を接続し、今一つの出口にキャピラリチューブ８３を介して同じく冷蔵区域用蒸発器４３を接続することにより、第１の流路Ｘを構成している。そして、弁８１の更に今一つの出口にはキャピラリチューブ８４を介して冷凍区域用蒸発器４７を接続することにより、第２の流路Ｙを構成している。従って、この場合には、キャピラリチューブ８２，８３が冷蔵区域用絞り手段として機能し、キャピラリチューブ８４が冷凍区域用絞り手段として機能するものである。
【０１１３】
しかして、キャピラリチューブ８２はキャピラリチューブ８４と同程度に絞りを高く（きつく）しており、キャピラリチューブ８３は絞り度を低く（ゆるく）している。
【０１１４】
この構成で、上記第７実施例の、膨張弁７１の絞り度の調整に代えて、第１の流路Ｘと第２の流路Ｙの双方に冷媒を流すモードで運転をするときに、それぞれキャピラリチューブ８２とキャピラリチューブ８４を通じて冷媒を流し、第１の流路Ｘにのみ冷媒を流すときには、キャピラリチューブ８３を通じて冷媒を流すことにより、第１の流路Ｘと第２の流路Ｙの双方に冷媒を流すモードで運転をするとき、上記冷蔵区域用絞り手段の絞り度を第１の流路Ｘにのみ冷媒を流すときより高く（きつく）するようにしている。
【０１１５】
このようにしても、上記第７実施例と同様の作用効果が得られるものであり、特にこのものの場合には、冷蔵区域用絞り手段の絞り度の調整が、複数本のキャピラリチューブ８２，８３の選択という容易な手法でできる。
【０１１６】
なお、この複数本のキャピラリチューブの選択による絞り度の調整は、第２の流路Ｙで、すなわち、冷凍区域用絞り手段の構成として、その絞り度を、第１の流路と第２の流路の双方に冷媒を流すモードで運転をするときに、第２の流路にのみ冷媒を流すときより低くする選択をするようにしても良い。又、この複数本のキャピラリチューブの選択による絞り度の調整も、第２実施例の、第１の流路Ｘと第２の流路Ｙの双方に冷媒を流すモードで運転をするときと、第１の流路Ｘ又は第２の流路Ｙにのみ冷媒を流すときとで行うようにしても良い。
【０１１７】
［第９実施例］
図１６ないし図１８に示す第９実施例においては、先の弁（三方弁）５３や、膨張弁７１、弁７２、弁（四方弁）８１に代えて、弁９１を使用している。この弁９１は、弁座９２に弁体９３を密接させて矢印で示す時計回り及びそれとは反対の方向に回転可能に設けている。弁座９２には、２つの弁孔９４，９５を形成し、これらにそれぞれパイプ９６，９７を接続し、このパイプ９６，９７に前記第１実施例の第１の流路Ｘ及び第２の流路Ｙを接続するようにしている。
【０１１８】
これに対して、弁体９３には、弁座９２側に突起９８，９９を設け、それとは反対側にロータ１００を設けている。ロータ１００は図示しないモータ等のアクチュエータにより駆動されて弁体９３を回転させるものであり、その回転により、突起９８，９９が弁孔９４，９５の開閉をする。
【０１１９】
図１７は突起９８により弁孔９４を僅開し、突起９９により弁孔９５を半開した状態を示している。この状態は、凝縮器５２から弁９１の図示しない入口を通じて流入した冷媒を第１の流路Ｘ及び第２の流路Ｙの双方へ流す状態であり、それぞれ矢印で示すように、絞り度の高い（きつい）僅開状態の弁孔９４からパイプ９６を通じて第１の流路Ｘに冷媒を流し、絞り度の低い（ゆるい）半開状態の弁孔９５からパイプ９７を通じて第２の流路Ｙに冷媒を流す。従って、この場合、弁９１はキャピラリチューブ５４，５６，８２〜８４とも代わる冷蔵区域用絞り手段並びに冷凍区域用絞り手段として機能する。
【０１２０】
しかして、上述の状態からロータ１００を図１６及び図１８に矢印で示す時計回りに回転させることにより、突起９８が弁孔９４の開放度を増す方向に動き、突起９９が弁孔９５を閉塞する。この状態は、冷媒を第１の流路Ｘにのみ流す状態であり、このとき、弁孔９４が開放度を増されることによって、冷媒の絞り度が低く（ゆるく）なる。
【０１２１】
このようにしても、前記第７実施例と同様の作用効果が得られるものであり、特にこのものの場合には、冷蔵区域用絞り手段の絞り度の調整が、弁９１の冷媒出口である弁孔９４，９５の開度の変化という容易な手法でできる。
【０１２２】
なお、この弁９１の弁孔９４，９５の開閉による絞り度の調整は、第１の流路Ｘと第２の流路Ｙの双方に冷媒を流すモードで運転をするときに、第２の流路Ｙについての絞り度を、第２の流路Ｙにのみ冷媒を流すときより低く（ゆるく）する調整をするものとしても良い。又、この弁９１の弁孔９４，９５の開閉による絞り度の調整も、第２実施例の、第１の流路Ｘと第２の流路Ｙの双方に冷媒を流すモードで運転をするときと、第１の流路Ｘ又は第２の流路Ｙにのみ冷媒を流すときとで行うようにしても良い。
【０１２３】
［第１０実施例］
図１９に示す第１０実施例においては、制御装置５９が、電源が投入されると先のステップＳ２同様に、冷凍区域温度センサ６１の検知結果から、冷凍区域３３の温度が所定温度（この場合も、−５〔℃〕未満）に達したか否か、又は冷蔵区域温度センサ６０の検知結果から、冷蔵区域３２の温度が所定温度（この場合も、１０〔℃〕未満）に達したか否かの判断をする（ステップＳ７１）。
【０１２４】
ステップＳ７１で、冷凍区域３３の温度が−５〔℃〕未満に達した、又は冷蔵区域３２の温度が１０〔℃〕未満に達した（ＹＥＳ）と判断されれば、それは、それより前に電源の投入があって庫内が既に冷却されており、このときの電源の投入が瞬時停電時の復電によるものであると考えて、圧縮機５１の保護のために所定時間（この場合、６分）停止し（ステップＳ７２）、その後に、冷蔵区域３２の冷却と冷凍区域３３の冷却とを交互に行うようにする（ステップＳ７３）。
【０１２５】
これに対し、ステップＳ７１で、冷凍区域３３と冷蔵区域３２の温度がそれぞれ−５〔℃〕未満と１０〔℃〕未満とに達していない（ＮＯ：それぞれ−５〔℃〕以上、１０〔℃〕以上である）と判断されれば、次に、外気温度センサ６２の検知結果から、外気温度が所定温度（この場合、１５〔℃〕以下であるか否かの判断をする（ステップＳ７４）。そして、そのステップＳ７４で、外気温度が１５〔℃〕以下である（ＹＥＳ）と判断されれば、ステップＳ７３に進み、１５〔℃〕以下ではない（ＮＯ：１５〔℃〕超である）と判断されれば、第１の流路Ｘと第２の流路Ｙの双方に冷媒を流して冷蔵区域３２の冷却と冷凍区域３３の冷却とを同時に行うようにする（ステップＳ７５）。
【０１２６】
このように本実施例のものでは、第１の流路Ｘと第２の流路Ｙの双方に冷媒を流すモードでの運転を、庫内温度及び外気温度が所定温度以上であることを条件に実行するようにしている。なお、その条件は、庫内温度及び外気温度のいずれか一方のみが所定温度以上であるだけであっても良い。
【０１２７】
第１の流路Ｘと第２の流路Ｙの双方に冷媒を流すモードで運転したとき、冷媒の凝縮温度、凝縮圧力が高くなるのは、庫内温度又は外気温度が高い場合であって、低い場合には、冷媒の凝縮温度、凝縮圧力が高くなることはない。従って、第１の流路Ｘと第２の流路Ｙの双方に冷媒を流すモードでの運転を、庫内温度又は外気温度が所定温度以上である場合にのみ実行することにより、必要な運転を必要な条件でのみ行い、不必要な条件で行うことを避けることができる。
【０１２８】
［第１１実施例］
図２０に示す第１１実施例においては、制御装置５９が、運転中、使用者による急速冷却指示があったか否かの判断をし（ステップＳ８１）、なかった（ＮＯ）と判断されれば、そのステップＳ８１を繰返すが、あった（ＹＥＳ）と判断されれば、現在、冷蔵区域３２の冷却と冷凍区域３３の冷却とを同時に行っているか否かの判断をする（ステップＳ８２）。
【０１２９】
上記ステップＳ８２で、現在、冷蔵区域３２の冷却と冷凍区域３３の冷却とを同時に行っていない（ＮＯ）と判断されれば、急速冷却運転を開始する（ステップＳ８３）。これに対し、ステップＳ８２で、現在、冷蔵区域３２の冷却と冷凍区域３３の冷却とを同時に行っている（ＹＥＳ）と判断されれば、急速冷却運転の開始を保留し（ステップＳ８４）、その後に、再び、現在、冷蔵区域３２の冷却と冷凍区域３３の冷却とを同時に行っているか否かの判断をする（ステップＳ８５）。
【０１３０】
ステップＳ８５で、現在、冷蔵区域３２の冷却と冷凍区域３３の冷却とを同時に行っている（ＹＥＳ）と判断されれば、ステップＳ８４に戻り、行っていない（ＮＯ）と判断されれば、ステップＳ８３に進む。
【０１３１】
このように本実施例のものは、第１の流路Ｘと第２の流路Ｙの双方に冷媒を流すモードで運転を実行している間、急速冷却の動作を実行しないようにしている。
【０１３２】
第１の流路Ｘと第２の流路Ｙの双方に冷媒を流すモードで運転を実行しているときは、庫内が充分に冷却されていない。従って、そのようなときに急速冷却を行おうとしても、急速に冷却することはできない。よって、その急速冷却の動作を、第１の流路Ｘと第２の流路Ｙの双方に冷媒を流すモードで運転を実行している間は実行しないようにすることにより、無駄な運転を行うことを避けることができる。
【０１３３】
この場合、急速冷却指示の判断に代わって、除霜指示又は製氷指示であっても良い。第１の流路Ｘと第２の流路Ｙの双方に冷媒を流すモードで運転を実行しているときに除霜を行えば、庫内の冷却が更に遅れることなる。更に、そのときに製氷の動作を行おうとしても、庫内が充分に冷却されていないため、製氷することはできない。よって、それらの動作を、第１の流路Ｘと第２の流路Ｙの双方に冷媒を流すモードで運転を実行している間は実行しないようにすることにより、庫内の冷却が遅れるようになることを避けることができ、あるいは無駄な運転を行うことを避けることができる。
【０１３４】
【発明の効果】
以上説明したように、本発明の冷蔵庫によれば、冷媒を冷蔵区域用蒸発器に流す流路と冷凍区域用蒸発器に流す流路とを並列に有し、冷蔵区域及び冷凍区域を交互に冷却するようにしたものにおいて、その両区域の電源投入時における冷却が速やかにでき、しかも、それを他に問題を生じることなく実現することができる。
【図面の簡単な説明】
【図１】本発明の第１実施例を示すフローチャート
【図２】冷蔵庫全体の縦断側面図
【図３】冷凍サイクルの接続構成図
【図４】電気的構成のブロック図
【図５】冷凍サイクルの冷媒の流れを示す図その１
【図６】冷凍サイクルの冷媒の流れを示す図その２
【図７】冷凍サイクルの冷媒の流れを示す図その３
【図８】本発明の第２実施例を示す図１相当図
【図９】本発明の第３実施例を示すフローチャート
【図１０】本発明の第４実施例を示す図９相当図
【図１１】本発明の第５実施例を示す図１相当図
【図１２】本発明の第６実施例を示す図１相当図
【図１３】本発明の第７実施例を示す図３相当図
【図１４】図１相当図
【図１５】本発明の第８実施例を示す図３相当図
【図１６】本発明の第９実施例を示す弁の内部主要部分の斜視図
【図１７】弁の内部主要部分の縦断側面図
【図１８】弁の内部主要部分の異なる状態の縦断側面図
【図１９】本発明の第１０実施例を示すフローチャート
【図２０】本発明の第１１実施例を示すフローチャート
【図２１】従来例を示す図２相当図
【図２２】図３相当図
【図２３】図６相当図
【図２４】図７相当図
【符号の説明】
３２は冷蔵区域、３３は冷凍区域、４３は冷蔵区域用蒸発器、４４は冷蔵区域用ファン（庫内空気循環用ファン）、４７は冷凍区域用蒸発器、４８は冷凍区域用ファン（庫内空気循環用ファン）、５１は圧縮機、５２は凝縮器、５３は弁、５４は冷蔵区域用キャピラリチューブ（冷蔵区域用絞り手段）、Ｘは第１の流路、５６は冷凍冷区域用キャピラリチューブ（冷凍冷区域用絞り手段）、Ｙは第２の流路、５８は凝縮器放熱用ファン、５９は制御装置（制御手段）、６０は冷蔵区域温度センサ、６１は冷凍区域温度センサ、６２は外気温度センサ、７１は膨張弁（冷蔵区域用絞り手段）、８２，８３はキャピラリチューブ（冷蔵区域用絞り手段）、８４はキャピラリチューブ（冷凍区域用絞り手段）、９１は弁（冷蔵区域用絞り手段、冷凍区域用絞り手段）、９４，９５は弁孔（冷媒出口）を示す。
【図１】
0004028688.tif 000002
【図２】
0004028688.tif 000003
【図３】
0004028688.tif 000004
【図４】
0004028688.tif 000005
【図５】
0004028688.tif 000006
【図６】
0004028688.tif 000007
【図７】
0004028688.tif 000008
【図８】
0004028688.tif 000009
【図９】
0004028688.tif 000010
【図１０】
0004028688.tif 000011
【図１１】
0004028688.tif 000012
【図１２】
0004028688.tif 000013
【図１３】
0004028688.tif 000014
【図１４】
0004028688.tif 000015
【図１５】
0004028688.tif 000016
【図１６】
0004028688.tif 000017
【図１７】
0004028688.tif 000018
【図１８】
0004028688.tif 000019
【図１９】
0004028688.tif 000020
【図２０】
0004028688.tif 000021
【図２１】
0004028688.tif 000022
【図２２】
0004028688.tif 000023
【図２３】
0004028688.tif 000024
【図２４】
0004028688.tif 000025